(57)【要約】偽造カードあるいは偽造品の判別に有効に利用されるエンボスホログラムチップの構造及びエンボスホログラムチップの製造方法を提供する。エンボスホログラムチップ基体に使用光の１／４波長の深さを有するピットが規則的に形成され、このピットに不規則に樹脂等が充填されることによりエンボスホログラムピットでないようにされ、残りのピットがエンボスホログラムピットとなる。また、エンボスホログラムチップ基体に使用光の１／４波長の高さを有する突起が薄片の散布等により不規則に形成され、エンボスホログラム突起となる。チップの製造は個々に製造する他に大きなチップを作成し、適宜裁断する。また、スタンパを用いて製造することもできる。
2010058809.tif 000002
【特許請求の範囲】
【請求項１】
平坦な基板にピットが複数形成され；
前記基板及び前記ピットに反射層が形成され；
前記基板上の反射層及び前記ピット中の反射層を覆う透光性の保護被覆が形成され；
前記ピットに形成された前記保護被覆の厚さが使用光の１／４波長とされた：エンボスホログラムチップ。
【請求項２】
前記ピットの深さが均一であり；
前記ピットが前記基板上に不均一に配置された：
請求の範囲１のエンボスホログラムチップ。
【請求項３】
前記ピットの深さが均一であり；
前記ピットに樹脂が充填され；
前記充填された樹脂の量が異なっている：
請求項１のエンボスホログラムチップ。
【請求項４】
前記ピットの深さが均一であり；
前記ピットに複数種類の樹脂が充填され；
前記複数種類の樹脂の屈折率が異なる：
請求項１のエンボスホログラムチップ。
【請求項５】
前記ピットの深さが不均一である；
請求項１のエンボスホログラムチップ。
【請求項６】
平坦な基板に突起が複数形成され；
前記基板と前記突起に反射層が形成され；
前記基板上の反射層及び前記突起の反射層を覆う透光性の保護被覆が形成され；
前記突起の高さが使用光の１／４波長である：エンボスホログラムチップ。
【請求項７】
前記突起の高さが均一であり；
前記ピットが前記基板上に不均一に配置された：
請求項６のエンボスホログラムチップ。
【請求項８】
前記突起の高さが不均一である；
請求項６のエンボスホログラムチップ。
【請求項９】
平坦な基板にピットと突起が複数形成され；
前記基板，前記ピット及び前記突起に反射層が形成され；
前記基板上の反射層，前記ピット中の反射層及び前記突起上の反射層とを覆う透光性の保護被覆が形成され；
前記ピットに形成された前記保護被覆の厚さ及び前記突起の高さが使用光の１／４波長とされた：エンボスホログラムチップ。
【請求項１０】
前記ピットの深さ及び前記突起の高さが均一であり；
前記ピットが前記基板上に不均一に配置された：
請求項９のエンボスホログラムチップ。
【請求項１１】
前記ピットの深さ及び前記突起の高さが不均一であり；
前記ピットが前記基板上に不均一に配置された：
請求項９のエンボスホログラムチップ。
【請求項１２】
平坦な基板に複数のピットが形成され；
前記基板と前記ピットの境界付近にのみ反射層が形成され；
前記基板上及び前記ピット中に透光性の樹脂が充填され；
前記樹脂の厚さが使用光の１／４波長とされた：エンボスホログラムチップ。
【請求項１３】
前記樹脂が複数の異なる屈折率を有する：
請求項１２のエンボスホログラムチップ。
【請求項１４】
平坦な基板に透光性の樹脂からなる複数の突起が形成され；
前記突起の周縁部にのみ反射層が形成され；
前記突起の厚さが使用光の１／４波長とされた：エンボスホログラムチップ。
【請求項１５】
前記樹脂が複数の異なる屈折率を有する：
請求項１４のエンボスホログラムチップ。
【請求項１６】
平坦な基板に透光性の樹脂からなる複数の突起が形成され；
前記突起の周縁部を除く部分にのみ反射層が形成され；
前記突起の厚さが使用光の１／４波長とされた：エンボスホログラムチップ。
【請求項１７】
複数のピットが形成されたエンボスホログラム原板を用意し；
前記複数のピット全てに未硬化樹脂を充填し：
前記未硬化樹脂を選択的に硬化し；
硬化されなかった前記未硬化樹脂を除去し；
前記硬化した硬化樹脂及びエンボスホログラム原板上に反射層を形成し；
前記反射層上に透光性の保護被覆を形成する：
エンボスホログラムチップ製造方法。
【請求項１８】
前記ピットの深さが複数である：
請求項１７のエンボスホログラムチップ製造方法。
【請求項１９】
複数のピットが形成されたエンボスホログラム原板を用意し；
前記複数のピットに選択的に未硬化樹脂を充填し：
前記未硬化樹脂を硬化し；
前記硬化した硬化樹脂及びエンボスホログラム原板上に反射層を形成し；
前記反射層上に透光性の保護被覆を形成する：
エンボスホログラムチップ製造方法。
【請求項２０】
前記ピットの深さが複数である：
請求項１９のエンボスホログラムチップ製造方法。
【請求項２１】
複数のピット型が形成された原板を用意し；
前記複数のピット型全てに未硬化樹脂を充填し：
前記未硬化樹脂を選択的に硬化し；
硬化されなかった前記未硬化樹脂を除去し；
前記硬化した硬化樹脂及び原板にスタンパ用樹脂を充填してエンボスホログラムチップスタンパを形成し；
前記エンボスホログラムチップスタンパをエンボスホログラムチップ用樹脂に圧しつけてエンボスホログラム原板を形成し；
前記エンボスホログラム原板上に反射層を形成し；
前記反射層上に透光性の保護被覆を形成する：
エンボスホログラムチップ製造方法。
【請求項２２】
前記ピット型のピットの深さが複数である：
請求項２１のエンボスホログラムチップ製造方法。
【請求項２３】
複数のピット型が形成された原板を用意し；
前記複数のピット型に選択的に未硬化樹脂を充填し：
前記未硬化樹脂を硬化し；
前記硬化した硬化樹脂及び原板にスタンパ用樹脂を充填してエンボスホログラムチップスタンパを形成し；
前記エンボスホログラムチップスタンパをエンボスホログラムチップ用樹脂に圧しつけてエンボスホログラム原板を形成し；
前記エンボスホログラム原板上に反射層を形成し；
前記反射層上に透光性の保護被覆を形成する：
エンボスホログラムチップ製造方法。
【請求項２４】
前記ピット型のピットの深さが複数である：
請求項２３のエンボスホログラムチップ製造方法。
【発明の詳細な説明】
【技術分野】
【０００１】
この出願に係る発明は、カード、紙幣、証券類等偽造されやすく、真贋認証を必要とする対象物の構造及びその対象物の真贋を認証するために用いるチップ及びその製造方法に係るものである。
【背景技術】
【０００２】
カード社会と呼ばれる今日、数多くのカードが出回っており、銀行のキャッシュカード、クレジット会社のクレジットカード等所有者の財産に関わるカード、有価証券であるプリペイドカード及び運転免許証，健康保険証，パスポート等身分証明に関わるカードが使用されている。【０００３】
財産に関わるカード及び有価証券であるカードの多くは、表面あるいは裏面に設けられた磁気ストライプに必要な情報を書込、ＡＴＭ(Automatic Teller's Machine)等の自動機械あるいは手動読み取り装置を用いて、磁気ストライプから磁気情報を読み取り、各種の処理を実行している。【０００４】
図１（ａ）に示すのは、現行のキャッシュカードの例である。この図において、１はプラスティック等からなるキャッシュカード本体であり、その表側には情報が記録された磁気ストライプ２及びキャッシュカードの挿入方向を示す矢印３が形成されている。なお、図示は省略したが、所要事項がエンボス文字として掲載されている。【０００５】
磁気ストライプに書き込まれた情報はスキマーと呼ばれる装置を用いて容易に読み取ることが可能なため、偽造カードが作成され、使用される被害が生じている。【０００６】
その対策として、半導体メモリを内蔵したＩＣカードが使用されて来ており、磁気カードに代わるものとして、銀行等は普及を計っている。【０００７】
しかしながら、このＩＣカードといえども、メモリに保存された情報を読み取ることは可能であり、手間暇をかけた偽造が行われた場合には、絶対に安全ということはできない。その上、ＩＣカードは磁気カードに比べて非常に高価であり、早急な普及は期待できない。【０００８】
銀行のキャッシュカードの場合は、１つの国の中だけで使用可能であれば済むが、クレジットカードの場合は外国でも使用可能である必要があり、世界中で使用されている全ての磁気カードであるクレジットカードを規格を統一したＩＣカードに置き換えることは、事実上不可能である。【０００９】
さらに、キャッシュカードとクレジットカードには所有者名等の情報がエンボス加工されて設けられており、これらの情報は磁気情報にも用いられているため、エンボス情報は偽造カード作成の手掛かりとなっている。【００１０】
これらの磁気カードあるいはＩＣカードが紛失あるいは盗難に遭った場合には、所有者がその事実に気がつきやすいが、盗難の後に手元に戻った場合、特に盗難に気がつかずに戻った場合には、偽造カードの使用による被害が発生しやすい。【００１１】
カードの偽造を防止することによる不正使用防止ではなく、カード使用者の適否を判定するための手段として、これまで４桁の数字で構成された暗証番号が用いられてきた。この暗証番号にはしばしば類推可能な番号が使用され、これまでに多くの被害が生じてきた。最近は類推だけでなく盗撮等の手段による暗証番号の盗視までも行われており、暗証番号による不正使用防止は、きわめて困難となってきている。【００１２】
偽造カードによる被害防止のために、パターン認識技術を利用した生体認証（バイオメトリクス）技術が、一部で採用されている。生体認証技術の代表的なものとして、虹彩認証、指紋認証、掌紋認証、指静脈認証、手掌静脈認証、手甲静脈認証があり、この内虹彩認証以外の認証には接触型と非接触型があるが、何れも予めパターンを登録する必要があり、パターンの登録に手間がかかり、認証にも時間がかかるため、運用コストが大きくなる。【００１３】
接触型の場合には検出装置に直接触れる必要があるため、衛生上あるいは生理的嫌悪感の問題がある。また、認証部分が負傷した場合、あるいは最悪の場合は認証部分が失われた場合には、生体認証は不可能である。また、認証過程において部分的な認証しか行っていないため、万全のものとはいえない。【００１４】
また、カード所有者本人しか使用することが出来ない生体認証システムは、カードを使用する時間あるいはカード処理装置が身近にないため代理人にカードの取扱を依頼しようとしても、不可能であり、この点でも使用者にとっては不便である。【００１５】
偽造防止の一つの手段として、クレジットカード，プリペイドカード，紙幣，証券類等にプラスチックに凹凸を形成したエンボスホログラムが取り付けられている。このエンボスホログラムは複製することが非常に困難であるため、エンボスホログラムが付されたカード類を偽造することは事実上不可能であるが、現在の使用形態では人間がそれも一瞥で読み取っているため、類似したエンボスホログラムを使用してカード等を偽造して使用することは可能である。【００１６】
カードと同様に偽造が頻発し、その被害が無視できないものにいわゆる偽ブランド品がある。偽ブランド品には一見しただけで真正品ではないことが識別できる物もあるが、中には精巧に作られているため、真正品ではないことの識別がきわめて困難な物もある。【００１７】
また、一部の地域では偽ブランド品が不正な物であるという認識が希薄であり、偽ブランド品であることを承知の上で、流通していることがある。このような偽ブランド品が、インターネット上で流通機構を介することなく直接に消費者に販売されることも、近年増加している。【００１８】
さらには、盗難自動車の車台番号を改変し、盗難自動車ではないとして海外に輸出する事件も発生している。【００１９】
このような事態に対処するために、真正品の製造者あるいは販売者が、その真正品限りの証明書を作成・添付して購入者に渡しているが、その証明書までもが偽造されることがある。【００２０】
また、真正品にホログラムのような複製困難なタグを取り付けることにより、真正品であることの確認を容易にしているが、ホログラムタグの複製は単に困難であるというだけであり、不可能というものではない。【００２１】
認証チップはカードを端末装置に挿入する操作者によって、認証パターンが目視すなわち官能によって確認され、カード端末装置によって読み取られるものではない。【００２２】
官能による認証は、認証をする個人の能力にばらつきがあること、及び同一人であっても認証環境及び心理状態、体調などによるばらつきがあることにより、１次的スクリーニングには効果を発揮するが、信頼性は低い。【００２３】
また、官能による認証は認証をする個人の認識能力に依存するため、少数のそれの比較的単純なパターンしか使用することができない。【００２４】
補助器具による認証は、微細画線、特殊画線、マイクロ文字、特殊形状スクリーン等、ルーペ等の拡大器具を用いることによって、あるいは光学的干渉を発生する特殊フィルタを用いることによって、認証を行う。【００２５】
具体的には、発光基材、発光ラミネートフィルム、発光インキ、サーモクロミックインキ、フォトクロミックインキ等、特殊な光学特性を示す材料を基材・ラミネートフィルム・インキ等に混入し、特殊フィルタ、紫外線ランプ等の補助器具を用いるものがあるが、これらも最終的な認証は人間の官能に頼るため、信頼性は低い。【００２６】
機械処理による認証には、材料の持つ特性を機械的に検出して認証を行うものであり、検出の対象としては磁気、光学特性等の検出がある。【００２７】
具体的には、発光材料，磁性材料を基材・ラミネートフィルム・インキ等に混入し、検出機器を用いるもの、コード化した特定の情報をＯＣＲ文字，磁気バーコードにより磁気的あるいは光学的に付与し、磁気・光学検出機器を用いるものがある。【００２８】
機械処理による認証技術として、生体固有の情報に代えて媒体中にランダム配置された再現性のない人工物を利用する人工物メトリクスシステム(artifact-metric system)がある。【００２９】
人工物メトリクスでは、粒状物の光反射パターン、光ファイバの透過光パターン、ポリマファイバの視差画像パターン、ファイバの画像パターン、磁性ファイバの磁気パターン、ランダム記録された磁気パターン、磁気ストライプのランダム磁気パターン、メモリセルのランダム電荷量パターン、導電性ファイバの共振パターン，振動シールの共鳴パターン等偶然によって形成されるパターンを利用する。【００３０】
カードの不正使用や偽造の対象となる事項には、カードが利用者に発給される時に付与される「カード記載情報」と、カードの製造工程で付与される「カード本体情報」がある。【００３１】
カード記載情報は、カード本体に対してカード発給時に印字・付与される情報であり、所持人情報、有効期限等の発給に関する情報が該当する。【００３２】
不正使用の代表的形態である改竄は、カード記載情報の全部、又は一部の記載情報を書き換える行為であり、正規の情報を消去し、不正な情報を加筆することで行われる。【００３３】
カード本体情報は、発給されたカードからカード記載情報を除いたカード自体が有する情報であり、カードの物理的形状、主にプレ印刷工程で付与される背景模様、下地の印刷層及び保護ラミネート層等、カード基体に付随する情報である。【００３４】
偽造は、カード本体について行われる不正行為であり、カード本体に付随する情報である図柄や模様等を複写又は模倣して、外観上近似したカードを作製することで行われ、具体的には真正なカード券面に付与されている図柄や模様等をスキャナ等で読み取り、加工、修正等を加え、プリンタ等を使用して行われる。【００３５】
カード本体に対する偽造対策技術は、印刷技術に限っても、印刷方式、インク、印刷模様の組み合わせにより、多数存在するが、決定的なものは現存しない。【００３６】
偽造対策の認証方法には、大きく分けて、官能によるもの、補助器具によるもの、機械処理によるものがある。【００３７】
官能による認証は、視覚、触覚等の人間の官能で真贋を認証するものであり、視覚によるものには本体の色彩、透かし、見る角度を変化させることによって付与した模様や色彩等が変化するホログラム等があり、触覚によるものには、付与された凹凸形状の検知、カード本体の質感の検知等がある。具体的には、ロゴマーク、特殊フォント、複写防止画線、特色インキ、ホログラム、光学的変化材料、潜像模様等、複製・複写が困難であり、視覚的に容易に認証が可能なもの、エンボス加工、凹凸付与、穿孔等、指感的、視覚的に認証を行うものがある。【００３８】
バイオメトイリクスあるいは人工物メトリクスのようなパターンの機械読み取りは、撮像装置で読み取ってパターン認識技術によって認証するのが一般的である。そのため、複写技術による偽造の可能性がある。【００３９】
複写困難なカードとしてエンボスホログラムを用いたカードが、特公平６−８５１０２号公報，特開平１１−２７２８３６号公報，特開２０−２９８８８０号公報，特開２０−１６３５３０号公報，特表２０−５１４５８１号公報，特開２２−７４２８３号公報，特開２２−３４７３７３号公報及び特許２５２２６８１号公報に示されている。【００４０】
エンボスホログラムを用いたカードの構造及び製造法が特開平１１−１８７９号公報及び特開２４−１１７６３６号公報に示されている。【００４１】
本出願人によるＷＯ２７／０７２７９４号公報及びＷＯ２７／０７２７９３号公報に、エンボスホログラムによりカード自身の真贋を認証する技術が示されている。【００４２】
本出願人による先願である特願２７−３１２８６１号に、ＩＣタグとエンボスホログラムとの組合せにより真正品と偽造品とを識別するための真贋判別部材及び真贋判別方法の発明が記載されている。
【先行技術文献】
【特許文献】
【００４３】
【特許文献１】特公平６−８５１０２号公報
【特許文献２】特開平１１−２７２８３６号公報
【特許文献３】特開２０−２９８８８０号公報
【特許文献４】特開２０−１６３５３０号公報
【特許文献５】特表２０−５１４５８１号公報
【特許文献６】特開２２−７４２８３号公報
【特許文献７】特開２２−３４７３７３号公報
【特許文献８】特許２５２２６８１号公報
【特許文献９】特開平１１−１８７９号公報
【特許文献１０】特開２４−１１７６３６号公報
【特許文献１１】ＷＯ２７／０７２７９４号公報
【特許文献１２】ＷＯ２７／０７２７９３号公報
【発明の概要】
【発明が解決しようとする課題】
【００４４】
本出願においては、従来汎用されているキャッシュカードあるいはクレジットカードに基本的な変更を加えることなく付加することができ、偽造品の判別に有効に利用されるエンボスホログラムチップの構造及びエンボスホログラムチップの製造方法、より具体的にはＷＯ２７／０７２７９４号公報，ＷＯ２７／０７２７９３号公報及び特願２７−３１２８６１号に記載されたエンボスホログラムチップの新規な構造及びそれらのエンボスホログラムチップの製造方法を提供することを課題とする。
【課題を解決するための手段】
【００４５】
上記課題を解決するために、この出願においては以下のような手段を提供する。【００４６】
エンボスホログラムチップにホログラムピットを規則的に配置し、ホログラム現象を発現するピットの配置を無作為に行う。【００４７】
使用する光を複数にする。【００４８】
複数のエンボスホログラムチップに相当する大きさのホログラムチップ原板を作成し、その原板から複数のエンボスホログラムチップを切り出す。【００４９】
未硬化の樹脂を散布し、硬化させる。【００５０】
エンボスホログラムチップ製造用スタンパを作成し、そのスタンパを用いてエンボスホログラムチップを製造する。
【発明の効果】
【００５１】
光の干渉を利用するエンボスホログラムは立体構造を有しているため、原型から直接にレプリカを製造する以外にコピーすることは不可能である。
また、乱数に基づきあるいは偶然により無作為に形成されたエンボスホログラムのパターンは解析することは不可能であり、解析により偽造することは不可能である。
【図面の簡単な説明】
【００５２】
【図１】ピットを有する単色エンボスホログラムチップの説明。
【図２】ピットを有する単色エンボスホログラムチップのピット配置例。
【図３】乱数に基づいて作成した単色エンボスホログラムチップのピット配置例。
【図４】複色エンボスホログラムチップのピット配置例。
【図５】複色エンボスホログラムチップのピット配置例。
【図６】乱数に基づいて作成した複色エンボスホログラムチップのピット配置例。
【図７】単色エンボスホログラムチップの構造実施例。
【図８】単色エンボスホログラムチップの構造の他の実施例。
【図９】複色エンボスホログラムチップの構造実施例。
【図１０】複色エンボスホログラムチップの構造の他の実施例。
【図１１】図１０の複色エンボスホログラムチップの説明。
【図１２】複色エンボスホログラムチップの構造のさらに他の実施例。
【図１３】図１２の複色エンボスホログラムチップの説明。
【図１４】複色エンボスホログラムチップの構造のさらに他の実施例。
【図１５】図１４の複色エンボスホログラムチップの説明。
【図１６】突起を有する単色エンボスホログラムチップの説明。
【図１７】突起を有する複色エンボスホログラムチップの説明。
【図１８】ピットと突起を有する単色エンボスホログラムチップの説明。
【図１９】ピットと突起を有する複色エンボスホログラムチップの説明。
【図２０】構造色の原理説明。
【図２１】エンボスホログラム現象と構造色現象を発現するピットの説明。
【図２２】エンボスホログラム現象と構造色現象を発現する突起の説明。
【図２３】複数のエンボスホログラムチップを得る方法の説明。
【図２４】エンボスホログラムチップを有する複数のカードを得る方法の説明。
【図２５】複数のエンボスホログラムチップを得る他の方法の説明。
【図２６】複数のエンボスホログラムチップを得るさらに他の方法の説明。
【図２７】複数のエンボスホログラムチップを得るさらに他の方法の説明。
【図２８】複数のエンボスホログラムチップを得るさらに他の方法の説明。
【図２９】ピットを有する単色エンボスホログラムチップを製造する原理的な方法の説明。
【図３０】ピットを有する単色エンボスホログラムチップを製造する他の方法の説明。
【図３１】ピットを有する単色エンボスホログラムチップを製造するさらに他の方法の説明。
【図３２】ピットを有する単色エンボスホログラムチップを製造するさらに他の方法の説明。
【図３３】ピットを有する単色エンボスホログラムチップをスタンパを用いて製造する原理的な方法の説明。
【図３４】ピットを有する単色エンボスホログラムチップをスタンパを用いて製造する他の方法の説明。
【図３５】ピットを有する単色エンボスホログラムチップをスタンパを用いて製造するさらに他の方法の説明。
【図３６】ピットを有する単色エンボスホログラムチップをスタンパを用いて製造するさらに他の方法の説明。
【図３７】単色エンボスホログラムチップのピットあるいは突起を不規則に配置する方法の説明。
【図３８】複色エンボスホログラムチップのピットあるいは突起を不規則に配置する方法の説明。
【発明を実施するための形態】
【００５３】
以下、添付図面を参照して本発明の好ましい実施形態を説明するが初めにＷＯ２７／０７２７９４号公報，ＷＯ２７／０７２７９３号公報及び特願２７−３１２８６１号に示されたエンボスホログラムチップ（チップ）を説明する。
【００５４】
図１に本件出願人による単色ホログラムチップが取り付けられたカードの基本的構成を示す。
（ａ）はカードの全体図、（ｂ）はカードの断面図、（ｃ）はホログラムチップの断面図、（ｄ）はホログラムチップの機能説明図、（ｅ）は出力される検出信号である。
【００５５】
このカード１は、光不透過性であるカード基体６の上に表面板４が取り付けられ、そこにホログラムチップ５が貼り付けられている。また、表面板４上には磁気ストライプ２と矢印３が形成されている。
【００５６】
（ｃ）にホログラムチップの基本的な構造を示す。
ホログラムチップ基板５に使用入射光の１／４波長の深さのエンボスホログラムピット（ピット）７とピットが形成されていない平坦部分８とが配置されている。基板５とピット７とはその上に金属等の反射層が形成されている。また、９は保護被覆である。
【００５７】
（ｄ）によりホログラムチップの機能を説明する。
保護被覆９を経由して入射した波長がλである光は平坦部８及びピット７の平坦な底で反射され、外部では実線矢印で示す波長λの光が検出される。
ピット７の縁では上端で反射された光と下端で反射された光の位相が１８０°異なることになり、相互にうち消し会うため、外部では破線矢印で示すように波長λの光は検出されない。
【００５８】
（ｅ）に示すように、反射光検出信号は平坦部８とピット７の境界の縁でディップし、このディップは１つのピット６について２回生じる。このことを利用することにより、ピット７を検出することができる。
【００５９】
図２に示したのは、ピット７と平坦部分８が規則的に配置されているホログラムチップの例である。
この図において５はホログラムチップ、６はピット、７は平坦部である。
（ａ）では平坦部７が見えているが、実際には（ｂ）のように見えない。
【００６０】
なお、ピットの配置は規則的である必要はなく、不規則に配置する方が望ましいこともある。
【００６１】
図３に、ピットとして構成されるエンボスホログラムをピットの配置を乱数によって得た２値データに基づいてホログラムチップの配置例を示す。
この２値データは、放射性物質の核崩壊によって放射される放射線を検出することによって得ることができる。
【００６２】
このホログラムチップには、１０２４ビットの２値データが３２×３２のマトリクスの正方形としてエンボスホログラムが配置されている。
この図において、２値データ「０」が書き込まれた箇所は空白が表示され、２値データ「１」が書き込まれた箇所は「＊」が表示されている。
【００６３】
図４に、本件出願人による複数の波長の光（この例では赤色光Ｒ，緑色光Ｇ及び青色光Ｂ）を使用する複色ホログラムチップの基本的構成を示す。
（ａ）はその断面図、（ｂ）はその機能説明図、（ｃ）は出力される赤色光の検出信号、（ｄ）は出力される緑色光の検出信号、（ｅ）は出力される青色光の検出信号である。
【００６４】
（ａ）では、ホログラムチップ基体１０に使用する赤色入射光Ｒ，緑色入射光Ｇ及び青色入射光Ｂの１／４波長の深さのピット１１Ｒ，１１Ｇ及び１１Ｂとこれらのピットが形成されていない平坦部分１１Ｗとが配置されている。ホログラムチップ基体１０とピット１１Ｒ，１１Ｇ及び１１Ｂとはその上に金属等の反射層が形成されている。また、１２は保護被覆である。
【００６５】
（ｂ）によりホログラムチップをさらに説明する。
基板１０に使用する赤色光Ｒの波長λＲの１／４の深さを有するピット１１Ｒ、緑色光Ｇの波長λＧの１／４の深さを有するピット１１Ｇ及び青色光Ｂの波長λＢの１／４の深さを有するピット１１Ｂが形成されている。
【００６６】
保護被覆１２を経由して入射した波長がλＲである赤色光はピット１１Ｒの縁以外では反射され、実線矢印で示す波長λＲの光が検出される。
ピット１１Ｒの縁では上端で反射された赤色光と下端で反射された赤色光の位相は１８０°異なり、相互にうち消し会うため、破線矢印ｒで示すように波長λＲの赤色光は検出されない。
【００６７】
保護被覆１２を経由して入射した波長がλＧである緑色光はピット１１Ｇの縁以外では反射され、矢印実線で示す波長λＧの緑色光が検出される。
ピット１１Ｇの縁では上端で反射された緑色光と下端で反射された緑色光の位相は１８０°異なり、相互にうち消し会うため、破線矢印ｇで示すように波長λＧの緑色光は検出されない。
【００６８】
保護被覆１２を経由して入射した波長がλＢである青色光はピット１１Ｂの縁以外で反射され、実線矢印で示す波長λＢの青色光が検出される。
ピット１１Ｂの縁では上端で反射された青色光と下端で反射された青色光の位相は１８０°異なり、相互にうち消し会うため、破線矢印ｂで示すように波長λＢの青色光は検出されない。
【００６９】
（ｃ）に示すように、赤色光検出信号は平坦部１３とピット１１Ｒの境界でディップし、このディップは１つのピット１１Ｒについて２回生じる。
（ｄ）に示すように、緑色光検出信号は平坦部１３とピット１１Ｇの境界でディップし、このディップは１つのピット１１Ｒについて２回生じる。
（ｅ）に示すように、青色光検出信号は平坦部１３とピット１１Ｂの境界でディップし、このディップは１つのピット１１Ｒについて２回生じる。
これらのことを利用することにより、ピット１１Ｒ，１１Ｇ，１１Ｂを確実に検出することができる。
【００７０】
図５に、本出願人によるピットと平坦部分が規則的に配置されているホログラムチップの例を示す。
この図において１０はホログラムチップ、１１Ｒ，１１Ｇ及び１１Ｂはピット、１１Ｗは平坦部分である。
（ａ）では平坦部分が見えているが、実際には（ｂ）のように見えない。
【００７１】
なお、ピットの配置は規則的である必要はなく、不規則に配置する方が望ましいこともある。
【００７２】
図６に、本出願人によるピットあるいは凸部として構成されるエンボスホログラムを人工的に得たホログラムチップの例を示す。
「Ｒ」，「Ｇ」，「Ｂ」及び白色光「Ｗ」は、４進数で表現することが可能であり、４進数は４つの２ビット数すなわち「００」，「０１」，「１０」，「１１」で表現することができる。
【００７３】
この事実に基づいて、図４に示した２進数の場合と同様にＲ，Ｇ，Ｂ及びＷを４進数として扱うことにより、図６に示す４進数のマトリクスが得られる。
【００７４】
以上説明した本出願人自身の先行出願発明を基にして、さらに実用に適した構成を有するホログラムチップの構造及び先行技術発明に係るホログラムチップの製造方法を以下に説明する。
【００７５】
〈単色エンボスホログラム実施例１〉
図７に、単色ピットの基本的な構造の実施例１を示す。
この図において、１５はホログラムチップ基体であり、ホログラムチップ基体１５に使用入射光の１／４波長の深さのピット１６とピットが形成されていない平坦部分１７とが配置されている。ホログラムチップ基体１５とピット１６とはその上に金属等の反射層が形成されている。ピット１６の縁において、図１に示した入射光のディップが生じる。また、１８は保護被覆である。
【００７６】
〈単色エンボスホログラム実施例２〉
図８に、単色ピットの基本的な構造の他の実施例２を示す。
この図において、２０はホログラムチップ基体であり、ホログラムチップ基体２０に使用入射光の１／４波長の深さのピットが予め形成されており、その中のいくつかに樹脂２４が充填されている。
【００７７】
このようにして、ホログラムチップ基体２０には使用入射光の１／４波長の深さのピット２１とピットが形成されていない平坦部分２２とが配置される。ホログラムチップ基体２０とピット２１とはその上に金属等の反射層が形成されている。このようにして形成されたピット２１の縁において、図１に示した入射光のディップが生じる。また、２３は保護被覆である。
【００７８】
〈複色エンボスホログラム実施例１〉
図９に、複色ピットの基本的な構造の実施例１を示す。
この図において、２５はホログラムチップ基体であり、ホログラムチップ基体１５に使用入射光、例えば赤色光Ｒ，緑色光Ｇ及び青色光Ｂの波長の１／４の深さのピット２６Ｒ，２６Ｇ，２６Ｂとピットが形成されていない平坦部分２７とが配置されている。ホログラムチップ基体２５とピット２６Ｒ，２６Ｇ，２６Ｂとはその上に金属等の反射層が形成されている。ピット２６Ｒ，２６Ｇ，２６Ｂの縁において、図４に示した入射光Ｒ，Ｇ，Ｂのディップが生じる。また、１８は保護被覆である。
【００７９】
〈複色エンボスホログラム実施例２〉
図１０に、複色ピットの基本的な構造の他の実施例２を示す。
この図において、３０はホログラムチップ基体であり、ホログラムチップ基体３０に使用入射光中最長波長、例えば赤色光Ｒの１／４波長、の深さのピットが予め形成されており、ピット３１Ｒには樹脂が全く充填されず、ピット３１Ｇには充填後の深さが緑色光Ｇの１／４波長になるように樹脂が充填され、ピット３１Ｂには充填後の深さが青色光Ｂの１／４波長になるように樹脂が充填され、ピット３１Ｗには完全に充填されている。さらにこれらのピットを含む上面に金属等の反射層が形成されている。
また、３３は保護被覆である。
【００８０】
図１１に図１０に示したホログラムチップの動作を示す。
このような構成を有するホログラムチップに赤色光Ｒ，緑色光Ｇ及び青色光Ｂが入射すると（ａ）に示したように、ピット３１Ｒの端縁では赤色光Ｒだけが出射せず、他の緑色光Ｇ及び青色光Ｂは出射し、ピット３１Ｇの端縁では緑色光Ｇだけが出射せず、他の赤色光Ｒ及び青色光Ｂは出射し、ピット３１Ｂの端縁では青色光Ｂだけが出射せず、他の赤色光Ｒ及緑色光Ｇは出射し、ピット３１Ｗの端縁を含む他の部分では全ての光が出射する。
これらの出射光Ｒ，Ｇ，Ｂによる信号を（ｂ），（ｃ），（ｄ）に示す。
【００８１】
〈複色エンボスホログラム実施例３〉
図１２に、複色ピットの基本的な構造の他の実施例３を示す。
複色ピット実施例１及び２と異なり、この実施例ではピットに充填する樹脂の屈折率が異なる複数種類の樹脂を使用する。
この図において、３５はホログラムチップ基体であり、ホログラムチップ基体３５に使用入射光中最長波長、例えば赤色光Ｒの１／４波長の深さのピットが予め形成され、ピットの内面を含む上面に金属等の反射層３８が形成されている。
ピットのいくつかには実効深さが緑色光Ｇ及び青色光Ｂの波長の１／４となるように屈折率を選択された樹脂３７Ｒ，３７Ｇ，３７Ｂ，３７Ｗが充填されている。なお、樹脂３７Ｗは全波長光を反射する反射体である。
また、３９は保護被覆である。
【００８２】
図１３に図１２に示したホログラムチップの動作を示す。
このような構成を有するホログラムチップに赤色光Ｒ，緑色光Ｇ及び青色光Ｂが入射すると（ａ）に示したように、ピット３１Ｒの端縁では赤色光Ｒだけが出射せず、他の緑色光Ｇ及び青色光Ｂは出射し、ピット３１Ｇの端縁では緑色光Ｇだけが出射せず、他の赤色光Ｒ及び青色光Ｂは出射し、ピット３１Ｂの端縁では青色光Ｂだけが出射せず、他の赤色光Ｒ及緑色光Ｇは出射し、ピット３９の端縁及び内部を含む他の部分では全ての光が出射する。
これらの出射光Ｒ，Ｇ，Ｂによる信号を（ｂ），（ｃ），（ｄ）に示す。
【００８３】
〈複色エンボスホログラム実施例４〉
図１４に、複色ピットの基本的な構造の他の実施例４を示す。
この実施例では実施例３の屈折率が異なる複数種類の樹脂に加えて全ての光を反射する樹脂を使用する。
この図において、４０はホログラムチップ基体であり、ホログラムチップ基体４０に使用入射光中最長波長、例えば赤色光Ｒの１／４波長の深さより深いピットが予め形成され、ピットの内面を含む上面に金属等の反射層４２が形成されている。
ピットのいくつかには実効深さが緑色光Ｇ及び青色光Ｂの波長の１／４となるように屈折率を選択された樹脂４１Ｒ，４１Ｇ，４１Ｂが充填されている。また、残りのピット４１Ｎには全波長の光を収性する樹脂が充填され、ピット４１Ｗには全波長光の光を反射する樹脂が充填されている。
また、４３は保護被覆である。
【００８４】
図１５に図１４に示したホログラムチップの動作を示す。
このような構成を有するホログラムチップに赤色光Ｒ，緑色光Ｇ及び青色光Ｂが入射すると（ａ）に示したように、ピット４１Ｒの端縁では赤色光Ｒだけが出射せず、他の緑色光Ｇ及び青色光Ｂは出射し、ピット４１Ｇの端縁では緑色光Ｇだけが出射せず、他の赤色光Ｒ及び青色光Ｂは出射し、ピット４１Ｂの端縁では青色光Ｂだけが出射せず、他の赤色光Ｒ及緑色光Ｇは出射し、ピット４１Ｎの端縁及び内部では全ての光が出射せず、ピット４１の端縁及び内部を含む他の部分では全ての光が出射する。
これらの出射光Ｒ，Ｇ，Ｂによる信号を（ｂ），（ｃ），（ｄ）に示す。
【００８５】
エンボスホログラムをピットではなく突起によって得るエンボスホログラムチップを説明する。
【００８６】
〈単色エンボスホログラム実施例３〉
図１６に、単色エンボスホログラムを突起によって得るエンボスホログラムチップを示す。
（ａ）において、５０はホログラムチップ基体であり、ホログラムチップ基体５０に使用入射光の１／４波長の高さの突起５２と突起が形成されていない平坦部分５１とが配置されている。ホログラムチップ基体５０と突起５２とはその上に金属等の反射層が形成されている。
また、５３は保護被覆である。
【００８７】
（ｂ）に示すように、突起５２の縁において、図１に示したと同様な入射光のディップが生じる。
この出射光による信号を（ｃ）に示す。
【００８８】
〈複色エンボスホログラム実施例５〉
図１７に、単色エンボスホログラムを突起によって得るエンボスホログラムチップを示す。
（ａ）において、５５はホログラムチップ基体であり、ホログラムチップ基体５５に使用入射光、例えば赤色光Ｒ，緑色光Ｇ及び青色光Ｂの波長の１／４の高さの突起５６Ｒ，５６Ｇ，５６Ｂとピットが形成されていない平坦部分５６Ｗとが配置されている。ホログラムチップ基体５５と突起５６Ｒ，５６Ｇ，５６Ｂとはその上に金属等の反射層が形成されている。
また、５８は保護被覆である。
【００８９】
（ｂ）に示すように、ピット５６Ｒ，５６Ｇ，５６Ｂの縁において、図４に示したのと同様な入射光Ｒ，Ｇ，Ｂのディップが生じる。
これらの出射光Ｒ，Ｇ，Ｂによる信号を（ｃ），（ｄ），（ｅ）に示す。
【００９０】
エンボスホログラムをピットと突起によって得るエンボスホログラムチップを説明する。
【００９１】
〈単色エンボスホログラム実施例４〉
図１８に、単色エンボスホログラムをピットと突起によって得るエンボスホログラムチップを示す。
（ａ）において、６０はホログラムチップ基体であり、ホログラムチップ基体６０に使用入射光の１／４波長の深さのピット６３と使用入射光の１／４波長の高さの突起６２とピットも突起も形成されていない平坦部分６１とが配置されている。ホログラムチップ基体６０とピット６３及び突起６２とはその上に金属等の反射層が形成されている。
また、６５は保護被覆である。
【００９２】
（ｂ）に示すように、ピット６３の端縁と突起６２の端縁において、図１に示したと同様な入射光のディップが生じる。
この出射光による信号を（ｃ）に示す。
【００９３】
エンボスホログラムと同様に光の波長の１／４の厚さの透明媒体によって発現する構造色という現象があるが、エンボスホログラムが１／４波長の光のみが出射しないという現象であるのに対し、構造色は１／４波長の光が強く出射するという現象である。すなわち、光を入射したときにエンボスホログラムではその光が観測されないのに対し、構造色ではその光が他の光よりも強く観測される。
次にエンボスホログラムと構造色とを同時に利用することができる、ホログラム−構造色チップを説明する。
【００９４】
初めに、図２０により構造色が発現する原理について説明する。
構造色を発現する「ホログラムフレーク」あるいは単に「ホログラム（フレーク）」と呼ばれる素材が市販されている。ホログラムフレークはホログラムではないが、ホログラムと同様に、光の干渉によって着色されていない透明体が着色されて見える。
以下説明する実施例ではホログラムフレーム等の構造色発現体を構造色片と呼ぶ。
【００９５】
この図において、７０は絶対屈折率がｎ０である媒体中に置かれた、例えばＰＥＴ樹脂である厚さｄを有する透光性媒体の薄層であり、絶対屈折率はｎ１である。また、７１は透光性媒体７０の入射面であり、７２は反射面である。
なお、この反射面７２を金属等の反射膜とすることも可能である。
【００９６】
（ａ）に示したように、絶対屈折率がｎ０である媒体から絶対屈折率がｎ１である透光性媒体７０の入射面７１に垂直に入射した波長がλ１である入射光は、屈折率が異なる媒体の入射面７１で一部が反射され、他の一部は透光性媒体７０に入射する。
なお、波長λ１の光は透光性媒体７０に対して垂直、すなわち入射角θが０°、で入射するのであるが、ここでは図示の関係で多少角度を持たせて表示してある。
【００９７】
透光性媒体７０に入射した光は出射端面７２で媒体の屈折率が異なることにより反射され、屈折率がｎ１である透光性媒体７０から絶対屈折率がｎ０である媒体中に放射される。
【００９８】
この場合、ｍを正の整数として、ｄ＝（ｍ＋１／２）λ１／２ｎ、すなわちλ１＝２ｄｎ／（ｍ＋１／２）の条件が満足されたときには、（ａ）に示したように入射面７１で反射された光の位相と透光性媒体７０を透過し反射面７２で反射された光の位相が同じになる。なお、ｎは相対屈折率でありｎ＝ｎ１／ｎ０である。
その結果、波長λ１の光の出射は強くなる。
【００９９】
（ｂ）に示したように、ｄ＝（ｍ＋１／２）λ２／２ｎ、すなわちλ２＝２ｄｎ／ｍの条件が満足されたときには、入射面７１で反射された光の位相と透光性媒体７０を透過し反射面７２で反射された光の位相は半波長分異なっており、打ち消し合う。
その結果、波長λ２の光の出射は弱くなる。
【０１００】
（ｃ）に示したように、０°ではないθｉの入射角で斜めに入射した光は、入射面７１において屈折角θｒで屈折するが、入射角θｉ、屈折角θｒと相対屈折率ｎとの間にsinθｉ／sinθｒ＝ｎの関係が成り立っている。この関係に基づき、入射角θｉで入射した光は反射面７２に屈折角θｒで入射し、反射角θｒで反射され、入射面７１から出射角θｉで出射する。
【０１０１】
入射面７１に入射角θｉで入射し屈折角θｒで屈折した波長がλ３である光は、ｍを正の整数として、ｄ＝（ｍ＋１／２）λ３／２ｎcosθｒ、すなわちλ３＝２ｄｎcosθｒ／（ｍ＋１／２）の条件が満足されたときに、入射面７１で反射角θｉで反射された光の位相と透光性媒体７０を透過し反射面７２で反射され、入射面７１から屈折して出射角θiで出射した光の位相が同じになる。
その結果、波長λ３の光の出射は強くなる。
【０１０２】
（ｄ）に示したように、波長がλ４である光が入射面５１に入射角θｉで入射し屈折角θｒで屈折した場合、ｄ＝（ｍ＋１／２）λ４／２ｎcosθｒ、すなわちλ４＝２ｄｎcosθｒ／ｍの条件が満足されたときに、入射面７１で反射角θｉで反射された光の位相と透光性媒体７０を透過し反射面７２で反射され、入射面７１から屈折して出射角θiで出射した光の位相が半波長分異なったものになる。
その結果、波長λ４の光の出射は弱くなる。
【０１０３】
このようにして選択されて出射する光の波長λ３あるいは出射しない光λ４の波長は屈折角θｒの余弦”cosθｒ”に依存する。反射角θｒは入射角θｉに依存し、入射角θｉは０°から９０°の間で無段階で変化するから、その結果選択されて（ａ）及び（ｃ）に示した出射する光あるいは（ｃ）及び（ｄ）に示した出射しない光の波長も無段階で変化する。
このようにして発現する色は構造色と呼ばれ、多層構成により複雑な色を呈するものが、鳥の羽毛、甲虫の羽、蝶の鱗粉、貝の内面等自然界に多く存在している。
【０１０４】
〈ホログラム−構造色チップ実施例１〉
図２１に示すのは、ピットによって構成したホログラム−構造色チップの原理の説明である。
この図において、７０は基体７１は透光性カバー、７２，７３はピット、７４は透光性樹脂、７５，７６は金属等の光反射材である。
基体７１、透光性カバー７２，透光性樹脂７４はそれぞれ異なる屈折率を有している。
【０１０５】
ピット７２には透光性樹脂７４が充填されているためピット７２の光学的長さは物理的長さとは異なるものになっている。そのため、反射膜がある部分ではλ1の波長の光が出射せず、反射膜７５がある部分を除くピット内では透光性樹脂７４によるλ2の波長の構造色が観測される。
【０１０６】
ピット７３には透光性カバー樹脂７１が充填されているためピット７３の光学的長さは物理的長さとは異なるものになっている。そのため、反射膜がある部分ではλ３の波長の光が出射せず、反射膜７６がある部分を除くピット内では透光性樹脂７１によるλ４の波長の構造色が観測される。また、ピットが存在しない部分では透光性カバーの厚さによるλ５の構造色が観測される。
【０１０７】
〈ホログラム−構造色チップ実施例２〉
図２２に示すのは、突起によって構成したホログラム−構造色チップの原理の説明である。
この図において、８０は基体８１は透光性カバー、８２，８３は透光性樹脂である突起、８４，８５は金属等の光反射材である。
基体８０、透光性カバー８１，透光性樹脂８２，８３はそれぞれ異なる屈折率を有している。
【０１０８】
突起８２，８３は透光性樹脂であるため、その屈折率により突起８２，８３の光学的高さは物理的高さとは異なるものになっている。そのため、突起８２の反射膜８４がある部分ではホログラム現象により透光性カバー８１の屈折率に対応するλ１の波長の光が出射せず、反射膜８４がない部分では透光性樹脂８２による構造色現象が発現し屈折率に対応するλ２の光が観測される。
突起８３の反射膜８５が内部分においては、透光性樹脂８３の屈折率に対応するλ２の構造色が観測され、反射膜８５がある部分では全ての光が出射する。
【０１０９】
カバー材の厚さを光学的に意味有るものにすれば、カバー材と基材あるいは突起の上面との間で別波長の構造色を得ることもできる。
【０１１０】
《エンボスホログラムチップ製造方法》
次に、エンボスホログラムチップの製造方法を説明する。
【０１１１】
〈エンボスホログラムチップ製造方法実施例１〉
図２３にエンボスホログラムチップ製造方法実施例１を示す。
（ａ）に１で示すのはエンボスホログラムチップ１６枚分の面積を有する原板である。
この原板１上にピット１０３を形成する。
このようにしてピット１０３が形成された原板１を（ｂ）に示すように適宜な大きさに裁断し、エンボスホログラムチップ１０２を得る。
【０１１２】
〈エンボスホログラムチップ製造方法実施例２〉
図２４に示すのは、カード等に直接にエンボスホログラムチップを形成する製造方法である。
（ａ）に１０５で示すのはカード１６枚分の面積を有する原板である。
この原板１０５にマスク等を利用してその一部にピットを形成することによって、チップ１０７付カード原板を得、この原板を（ｂ）に示すように裁断し、チップ１０７付カード原板１０６を得る。
【０１１３】
〈エンボスホログラムチップ製造方法実施例３〉
図２５に示すのはピットの配置が固定されており、ピットの情報のみが偶然に決定されるチップの製造方法である。
（ａ）に１１０で示すのはチップ１６枚分の面積を有する原板であり、チップ原板１１０には全面に亘ってピットが規則的あるいは不規則に配置されている。
【０１１４】
この原板に透光性の未硬化樹脂を散布し、硬化させてチップ原板を得、この原板を（ｂ）に示すように裁断し、チップ１１１を得る。
【０１１５】
〈エンボスホログラムチップ製造方法実施例４〉
図２６に図２５に示したチップの他の形態の製造方法である。
（ａ）に１１５で示すのはチップ１６枚分の面積を有する原板であり、チップ原板１１５にはチップの最外周部に相当するピットを除く全面に亘ってピットが規則的あるいは不規則に配置されている。
【０１１６】
この原板に透光性の未硬化樹脂を散布し、硬化させる。このようにしてチップ原板を得、この原板を（ｂ）に示すように適宜の大きさに裁断し、チップ１１６を得る。
【０１１７】
〈エンボスホログラムチップ製造方法実施例５〉
図２７に図２５に示したチップのさらに他の形態の製造方法を示す。
（ａ）に１２０で示すのはチップ１６枚分の面積を有する原板であり、チップ原板１２０にはチップの全面に亘ってピットが規則的あるいは不規則に配置されている。
チップの最外周部に対応する部分に相当する孔に、非硬化性の樹脂を注入し、あるいはマスキングする。
【０１１８】
この原板に透光性の未硬化樹脂を散布し、硬化させて認証情報付チップ原板を得、この原板を（ｂ）に示すように適宜な大きさに裁断し、チップ１２１を得る。
【０１１９】
〈エンボスホログラムチップ製造方法実施例６〉
図２８に示すのは、ピットが不規則に配置されているチップの製造方法である。この実施例ではピットの形状が円形ではなく細長い形状であるが、円形のピットを形成することもできる。
【０１２０】
（ａ）に１３０で示すのはチップ１６枚分の面積を有する原板であり、チップ原板１３０にはチップの全面に亘って細長いピットが不規則に配置されている。
このような形状のピットは原板１３０上に原板を腐食あるいは溶解する液体材料を傾斜方向から散布することによって得られる。
なお、垂直方向から散布すればピットの形状は円形になる。
【０１２１】
この原板に透光性の未硬化樹脂を散布し、硬化させて認証情報付チップ原板を得、この原板を（ｂ）に示すように裁断し、チップ１３１を得る。
【０１２２】
図２９〜図３２に示す実施例では、予め単色ホログラム用に同じ深さのピットが形成された原板を用いる。
ピットの配置は規則的配置あるいは不規則配置のいずれでも可能であるが、実施例は規則的に配置されたピットを有する原板で説明する。
また、原板は図２７〜２９に示した複数のチップの面積を有するものでも、単一のチップの面積を有するもの、いずれでも可能である。
【０１２３】
〈エンボスホログラムチップ製造方法実施例７〉
図２９に示すのは、最も基本的な実施例である。
（１）に示す１４０は予め使用光の波長の１／４の深さのピット１４１が形成されたチップ原板である。
【０１２４】
（２）全てのピットに未硬化樹脂モノマ１４３を充填する。未硬化樹脂モノマには例えば紫外線硬化樹脂を用いる。
【０１２５】
（３）最終的にピットとはしない位置のモノマに紫外線を照射し、ポリマに硬化する。
【０１２６】
（４）紫外線が照射されず硬化していない未硬化樹脂モノマをピットから除去する。
【０１２７】
（５）原板、硬化樹脂及びピットの内面に反射膜１４２を形成する。
【０１２８】
（６）全体を光透過性の樹脂カバー１４５で被覆する。
【０１２９】
〈エンボスホログラムチップ製造方法実施例８〉
図３０に示すのは、他の実施例である。
（１）に示す１４０は予め使用光の波長の１／４の深さのピット１４１が形成されたチップ原板である。
【０１３０】
（２）最終的なピットとはしないピットに未硬化樹脂モノマ１４３を充填する。未硬化樹脂モノマには紫外線硬化樹脂以外に熱硬化性樹脂を用いる。
【０１３１】
（３）モノマを硬化させ、ポリマにする。
【０１３２】
（４）原板、硬化樹脂及びピットの内面に反射膜１４２を形成する。
【０１３３】
（５）全体を光透過性の樹脂カバー１４５で被覆する。
【０１３４】
このようにして構成されたチップは入射した光がピット１４１の端縁から出射せず、他の部分から出射する。
【０１３５】
〈エンボスホログラムチップ製造方法実施例９〉
図３１に示すのは、さらに他の実施例である。
（１）に示す１４０は予め使用光の波長の１／４の深さのピット１４１が形成されたチップ原板である。
【０１３６】
（２）全てのピットに未硬化樹脂モノマ１４３を充填する。未硬化樹脂モノマには紫外線硬化樹脂を用いる。
【０１３７】
（３）全面にフォトレジスト膜１４６を塗布する。
【０１３８】
（４）ピットとする位置のフォトレジスト膜に紫外線を照射し、硬化フォトレジスト膜１４７とする。
【０１３９】
（５）紫外線が照射されず硬化していないフォトレジスト膜を除去する。
【０１４０】
（６）フォトレジスト膜で覆われていない未硬化樹脂モノマに紫外線を照射し硬化させ、ポリマ１４４とする。
【０１４１】
（７）フォトレジスト膜とフォトレジスト膜に覆われ、紫外線が照射されず硬化していない未硬化樹脂モノマをピットから除去する。
【０１４２】
（８）原板、硬化樹脂及びピットの内面に反射膜１４２を形成する。
【０１４３】
（９）全体を光透過性の樹脂カバー１４５で被覆する。
【０１４４】
〈エンボスホログラムチップ製造方法実施例１０〉
図３２に示すのは、さらに他の実施例である。
（１）に示す１４０は予め使用光の波長の１／４の深さのピット１４１が形成されたチップ原板である。
【０１４５】
（２）全てのピットに未硬化樹脂モノマ１４３を充填する。未硬化樹脂モノマには紫外線硬化樹脂を用いる。
【０１４６】
（３）最終的にピットとするピットの未硬化樹脂モノマ１４３に保護膜１４７を形成する。未硬化樹脂モノマには紫外線硬化樹脂以外に熱硬化性樹脂を用いる。
【０１４７】
（４）保護膜膜で覆われていない未硬化樹脂モノマに紫外線を照射し硬化させ、ポリマ１４４とする。
【０１４８】
（５）保護膜と保護膜に覆われ、紫外線が照射されず硬化していない未硬化樹脂モノマをピットから除去する。
【０１４９】
（６）原板、硬化樹脂及びピットの内面に反射膜１４２を形成する。
【０１５０】
（７）全体を光透過性の樹脂カバー１４５で被覆する。
【０１５１】
このようにして構成されたチップは入射した光がピット１４１の端縁から出射せず、他の部分から出射する。
【０１５２】
〈エンボスホログラムチップ製造方法実施例１１〉
図２９〜３２の実施例では使用光の波長の１／４の深さのピットが形成されたチップ原板を使用したが、ピットの深さを複数とすることにより同様な製造方法により、多色光にも対応可能である。
【０１５３】
図３３〜図３６に示す実施例では、原板に予め単色ホログラム用に同じ深さのピットが形成された原板を用いず、スタンパを用いて平らな原板にピットを形成する。
ピットの配置は規則的配置あるいは不規則配置のいずれでも可能であるが、実施例は規則的に配置されたピットを有する原板で説明する。
また、原板は図２７〜２９に示した複数のチップの面積を有するものでも、単一のチップの面積を有するもの、いずれでも可能である。
【０１５４】
〈エンボスホログラムチップ製造方法実施例１２〉
図３３に示すのは、最も基本的な実施例である。
（１）に示す１５０は予め使用光の波長の１／４の深さのピット型１５１が形成された金型等のチップ原板型である。
【０１５５】
（２）全てのピット型に未硬化樹脂モノマ１５２を充填する。未硬化樹脂モノマには例えば紫外線硬化樹脂を用いる。
【０１５６】
（３）最終的にピット型とはしない位置のモノマに紫外線を照射し、ポリマに硬化する。
【０１５７】
（４）紫外線が照射されず硬化していない未硬化樹脂モノマをピット型から除去する。
【０１５８】
（５）ピット型が形成されたチップ原板型を用いてスタンパ１５４を形成する。
【０１５９】
（６）スタンパ１５４をチップ原板型１５０から離型する。
【０１６０】
（７）スタンパ１５４を用いて平らな原板をプレスし、ピット付原板１６０を形成する。
【０１６１】
（８）ピット付原板１６０をスタンパ１５４から離型する。
【０１６２】
（９）ピット付原板１６０に反射膜１６２を形成する。
【０１６３】
（１０）全体を光透過性の樹脂カバー１６３で被覆する。
【０１６４】
〈エンボスホログラムチップ製造方法実施例１３〉
図３４に示すのは、他の実施例である。
（１）に示す１５０は予め使用光の波長の１／４の深さのピット型１５１が形成された金型等のチップ原板型である。
【０１６５】
（２）最終的なピットとはしないピット型に未硬化樹脂モノマ１５２を充填する。未硬化樹脂モノマには紫外線硬化樹脂以外に熱硬化性樹脂を用いる。
【０１６６】
（３）モノマを硬化させ、ポリマ１５３にする。
【０１６７】
（４）ピット型が形成されたチップ原板型を用いてスタンパ１５４を形成する。
【０１６８】
（５）スタンパ１５４をチップ原板型１５０から離型する。
【０１６９】
以後の過程は図３３に示した（７）〜（９）と同じなので説明は省略する。
【０１７０】
〈エンボスホログラムチップ製造方法実施例１４〉
図３５に示すのは、さらに他の実施例である。
（１）に示す１５０は予め使用光の波長の１／４の深さのピット型１５１が形成された金型等のチップ原板型である。
【０１７１】
（２）全てのピット型に未硬化樹脂モノマ１５２を充填する。未硬化樹脂モノマには紫外線硬化樹脂を用いる。
【０１７２】
（３）全面にフォトレジスト膜１５６を塗布する。
【０１７３】
（４）ピット型とする位置のフォトレジスト膜に紫外線を照射し、硬化フォトレジスト膜１５７とする。
【０１７４】
（５）紫外線が照射されず硬化していないフォトレジスト膜を除去する。
【０１７５】
（６）フォトレジスト膜で覆われていない未硬化樹脂モノマに紫外線を照射し硬化させ、ポリマ１５３とする。
【０１７６】
（７）フォトレジスト膜とフォトレジスト膜に覆われ、紫外線が照射されず硬化していない未硬化樹脂モノマをピット型から除去する。
【０１７７】
（８）ピット型が形成されたチップ原板型を用いてスタンパ１５４を形成する。
【０１７８】
（９）スタンパ１５４をチップ原板型１５０から離型する。
【０１７９】
以後の過程は図３３に示した（７）〜（９）と同じなので説明は省略する。
【０１８０】
〈エンボスホログラムチップ製造方法実施例１５〉
図３６に示すのは、さらに他の実施例である。
（１）に示す１５０は予め使用光の波長の１／４の深さのピット型１５１が形成された金型等のチップ原板型である。
【０１８１】
（２）全てのピット型に未硬化樹脂モノマ１５２を充填する。未硬化樹脂モノマには紫外線硬化樹脂を用いる。
【０１８２】
（３）最終的にピット型とするピット型の未硬化樹脂モノマ１５２に保護膜１５５を形成する。未硬化樹脂モノマには紫外線硬化樹脂以外に熱硬化性樹脂を用いる。
【０１８３】
（４）保護膜で覆われていない未硬化樹脂モノマに紫外線を照射し硬化させ、ポリマ１５３とする。
【０１８４】
（５）保護膜と保護膜に覆われて紫外線が照射されず硬化していない未硬化樹脂モノマをピット型から除去する。
【０１８５】
（６）ピット型が形成されたチップ原板型を用いてスタンパ１５４を形成する。
【０１８６】
（７）スタンパ１５４をチップ原板型１５０から離型する。
【０１８７】
以後の過程は図３３に示した（７）〜（９）と同じなので説明は省略する。
【０１８８】
図３３〜３６の実施例では使用光の波長の１／４の深さのピット型が形成されたチップ原板を使用したが、ピット型の深さを複数とすることにより同様な製造方法により、多色光にも対応可能である。
【０１８９】
〈エンボスホログラムチップ製造方法実施例１６〉
単色光エンボスホログラムチップのピットあるいは突起を不規則に配置する方法を簡単に説明する。
図３７において、１７０はピット１７１が不規則に配置されたチップであり、（ａ）は上から見た図である。
（ｂ）及び（ｃ）はピット１７１を用いた場合の断面図である。
【０１９０】
ピットは基体１７０をエッチング等の手段により使用光の１／４波長の深さに開口して形成する。
１７２はカバーである。
【０１９１】
基体１７０をエッチングするのではなく、使用光の１／４波長の薄膜に開口することによって得ることも可能である。
【０１９２】
（ｄ）及び（ｅ）は突起１７６を用いた場合の断面図である。
突起１７６は基体１７５上に使用光の１／４波長の厚さの薄片を散布して形成する。
１７７はカバーである。
【０１９３】
〈エンボスホログラムチップ製造方法実施例１７〉
複色エンボスホログラムチップのピットあるいは突起を不規則に配置する方法を簡単に説明する。
図３８において、１８０は深さが異なるピット１８１R，１８１G，１８１Bが不規則に配置されたチップであり、（ａ）は上から見た図である。
（ｂ）及び（ｃ）はピット１７１を用いた場合の断面図である。
ピットは基体１８０をエッチング等の手段により使用光の１／４波長の深さに開口して形成する。
１８２はカバーである。
【０１９４】
基体１８０をエッチングするのではなく、使用光の１／４波長の薄膜に開口することによって得ることも可能である。
【０１９５】
（ｄ）及び（ｅ）は突起１７６を用いた場合の断面図である。
突起１７６は基体１７５上に使用光の１／４波長の厚さの薄片１８６R，１８６G，１８６Bを散布して形成する。
１８７はカバーである。
【産業上の利用可能性】
【０１９６】
以上説明した真贋認証チップ、真贋認証チップを有するカードは、銀行キャッシュカード、クレジットカード、プリペイドカード、ポイントカード、証券、ＩＤカード、入構証、証明書等に採用可能である。【０１９７】
なお、エンボスホログラムと同じ入射光と反射光の干渉によって光学的パターンを生じるすなわち、真珠光沢(nacreous)を発するあるいは玉虫色(iridescent)を有する、天然素材あるいは人工素材のチップをホログラムチップに代えて使用することもできる。
【符号の説明】
【０１９８】
１  カード
５  エンボスホログラムチップ
７，１１，１６，２１，２６，３１，３６，４１  エンボスホログラムピット
５２，５６，６２，６８  エンボスホログラム突起
７２，７３  エンボスホログラム−構造色ピット
８４，８５  エンボスホログラム−構造色突起
１，１０５，１１０，１１５，１２０，１３０  原板
１４０  チップ基板
１５０  基板型
１５４  スタンパ
【図１】
2010058809.tif 000003
【図２】
2010058809.tif 000004
【図３】
2010058809.tif 000005
【図４】
2010058809.tif 000006
【図５】
2010058809.tif 000007
【図６】
2010058809.tif 000008
【図７】
2010058809.tif 000009
【図８】
2010058809.tif 000010
【図９】
2010058809.tif 000011
【図１０】
2010058809.tif 000012
【図１１】
2010058809.tif 000013
【図１２】
2010058809.tif 000014
【図１３】
2010058809.tif 000015
【図１４】
2010058809.tif 000016
【図１５】
2010058809.tif 000017
【図１６】
2010058809.tif 000018
【図１７】
2010058809.tif 000019
【図１８】
2010058809.tif 000020
【図１９】
2010058809.tif 000021
【図２０】
2010058809.tif 000022
【図２１】
2010058809.tif 000023
【図２２】
2010058809.tif 000024
【図２３】
2010058809.tif 000025
【図２４】
2010058809.tif 000026
【図２５】
2010058809.tif 000027
【図２６】
2010058809.tif 000028
【図２７】
2010058809.tif 000029
【図２８】
2010058809.tif 000030
【図２９】
2010058809.tif 000031
【図３０】
2010058809.tif 000032
【図３１】
2010058809.tif 000033
【図３２】
2010058809.tif 000034
【図３３】
2010058809.tif 000035
【図３４】
2010058809.tif 000036
【図３５】
2010058809.tif 000037
【図３６】
2010058809.tif 000038
【図３７】
2010058809.tif 000039
【図３８】
2010058809.tif 000040
【国際調査報告】
2010058809.tif 000041
2010058809.tif 000042